(57)【要約】【課題】設計が簡素で速やかに着脱させることができるクイック着脱自在構造を提供する。【解決手段】クイック着脱自在構造は、第１の本体１１、第２の本体１２、パイプ１３、枢軸１４及び球１７を備える。第１の本体１１には、第１のスリーブ１１１が接続されて一体化される。第２の本体１２には、第２のスリーブ１２１が接続されて一体化される。パイプ１３は、第１のスリーブ１１１及び第２のスリーブ１２１中に挿設され、表面に貫通孔１３１が設けられる。枢軸１４は、パイプ１３中に挿設され、表面に凹溝１４１を有する。球１７が第１のスライド溝１１２及び貫通孔１３１に位置すると、第１の本体１１と第２の本体１２とが枢着される。球１７が第１のスライド溝１１２から外れて貫通孔１３１及び凹溝１４１に位置すると、第１の本体１１と第２の本体１２とを分離させることが可能となる。【選択図】図１
0003179326.tif 000002
【実用新案登録請求の範囲】
【請求項１】
第１の本体、第２の本体、パイプ、枢軸及び球を備えたクイック着脱自在構造であって、
前記第１の本体には、第１のスリーブが接続されて一体化され、前記第１のスリーブの内壁面には、第１のスライド溝が形成され、
前記第２の本体には、第２のスリーブが接続されて一体化され、
前記パイプは、前記第１のスリーブ及び前記第２のスリーブ中に挿設され、表面に貫通孔が設けられ、
前記枢軸は、前記パイプ中に挿設され、表面に凹溝を有し、
前記球が前記第１のスライド溝及び前記貫通孔に位置すると、前記第１の本体と前記第２の本体とが枢着され、
前記球が前記第１のスライド溝から外れて前記貫通孔及び前記凹溝に位置すると、前記枢軸及び前記パイプが前記第１のスリーブ及び前記第２のスリーブから外れて前記第１の本体と前記第２の本体とを分離させることが可能となることを特徴とするクイック着脱自在構造。
【請求項２】
前記パイプの頂端には、切欠きが設けられ、
前記枢軸の頂部には、バンプが設けられ、
前記切欠き中に、前記バンプを対応させて係合させると、前記パイプと前記枢軸とが連動して揺動可能となることを特徴とする請求項１に記載のクイック着脱自在構造。
【請求項３】
締結部材及び弾性部材をさらに備え、
前記枢軸の底部には、締結孔が設けられ、
前記締結孔に前記締結部材が螺着され、
前記弾性部材は、前記枢軸に外嵌されるとともに、前記パイプの底部縁部と前記締結部材とに当接され、前記切欠きに前記バンプが係合されることを特徴とする請求項２に記載のクイック着脱自在構造。
【考案の詳細な説明】
【技術分野】
【０００１】
本考案は、着脱自在構造に関し、特に、クイック着脱自在構造に関する。
【背景技術】
【０００２】
ドアは、閉めることにより２つの空間を隔て、開けることにより２つの空間を連通させる機能を有する。ドアを盗難防止用ドア、冷蔵庫用ドア又はその他のドアとして用いる場合でも、ドアを開閉する回転軸として蝶番が用いられている。
【０００３】
もし何らかの理由により、例えば、浴室、部屋などの空間にドアに鍵が掛けられて閉じ込められた場合、出るためには、カギを使って解錠するか部屋の外にいる者に外から解錠してもらうしかない。しかし、もし閉じ込められた者がカギを持っていなかったり部屋の外にいる者に知らせることができない場合、ドアをこじ開けるか窓から脱出するしかなかった。しかし、前者を選択した場合、出るには多くの時間がかかり、錠前を新しい物に変える必要がある。また、後者を選択した場合、窓は人が通ることを前提としていないものが多く、脱出に困難が伴う場合がある。そのため、上述した従来の問題を解決することが求められていた。
【０００４】
そのため、従来技術の問題点に鑑み、設計が簡素で速やかに着脱することができるクイック着脱自在構造が求められていた。
【考案の概要】
【考案が解決しようとする課題】
【０００５】
本考案の目的は、設計が簡素で速やかに着脱させることができるクイック着脱自在構造を提供することにある。
【課題を解決するための手段】
【０００６】
上記課題を解決するために、本考案の第１の形態によれば、第１の本体、第２の本体、パイプ、枢軸及び球を備えたクイック着脱自在構造であって、前記第１の本体には、第１のスリーブが接続されて一体化され、前記第１のスリーブの内壁面には、第１のスライド溝が形成され、前記第２の本体には、第２のスリーブが接続されて一体化され、前記パイプは、前記第１のスリーブ及び前記第２のスリーブ中に挿設され、表面に貫通孔が設けられ、前記枢軸は、前記パイプ中に挿設され、表面に凹溝を有し、前記球が前記第１のスライド溝及び前記貫通孔に位置すると、前記第１の本体と前記第２の本体とが枢着され、前記球が前記第１のスライド溝から外れて前記貫通孔及び前記凹溝に位置すると、前記枢軸及び前記パイプが前記第１のスリーブ及び前記第２のスリーブから外れて前記第１の本体と前記第２の本体とを分離させることが可能となることを特徴とするクイック着脱自在構造が提供される。
【０００７】
また、前記パイプの頂端には、切欠きが設けられ、前記枢軸の頂部には、バンプが設けられ、前記切欠き中に、前記バンプを対応させて係合させると、前記パイプと前記枢軸とが連動して揺動可能となることが好ましい。
【０００８】
また、締結部材及び弾性部材をさらに備え、前記枢軸の底部には、締結孔が設けられ、前記締結孔に前記締結部材が螺着され、前記弾性部材は、前記枢軸に外嵌されるとともに、前記パイプの底部縁部と前記締結部材とに当接され、前記切欠きに前記バンプが係合されることが好ましい。
【考案の効果】
【０００９】
本考案のクイック着脱自在構造は、設計が簡素で速やかに着脱させることができる。
【図面の簡単な説明】
【００１０】
【図１】本考案の一実施形態に係るクイック着脱自在構造を示す分解斜視図である。
【図２】本考案の一実施形態に係るクイック着脱自在構造を示す斜視図である。
【図３】本考案の一実施形態に係るクイック着脱自在構造を示す一部切欠側面断面図である。
【図４】本考案の一実施形態に係るクイック着脱自在構造を示す平面断面図である。
【図５】本考案の一実施形態に係るクイック着脱自在構造の動作を示す一部切欠側面断面図である。
【図６】本考案の一実施形態に係るクイック着脱自在構造の動作を示す平面断面図である。
【図７】本考案の一実施形態に係るクイック着脱自在構造の動作を示す一部切欠側面断面図である。
【図８】本考案の一実施形態に係るクイック着脱自在構造の動作を示す一部切欠側面断面図である。
【図９】本考案の一実施形態に係るクイック着脱自在構造の動作を示す一部切欠側面断面図である。
【考案を実施するための形態】
【００１１】
以下、本考案の実施形態について図に基づいて説明する。なお、これによって本考案が限定されるものではない。
【００１２】
以下、蝶番を例に本考案のクイック着脱自在構造を説明するが、本考案の態様はこれだけに限定されるわけではなく、他の枢着構造に応用してもよい。
【００１３】
図１〜図４を参照する。図１は、本考案の一実施形態に係るクイック着脱自在構造を示す分解斜視図である。図２は、本考案の一実施形態に係るクイック着脱自在構造を示す斜視図である。図３は、本考案の一実施形態に係るクイック着脱自在構造を示す一部切欠側面断面図である。図４は、本考案の一実施形態に係るクイック着脱自在構造を示す平面断面図である。本考案の一実施形態に係るクイック着脱自在構造は、少なくとも第１の本体１１、第２の本体１２、パイプ１３、枢軸１４及び球１７から構成される。第１の本体１１には、第１のスリーブ１１１が接続され、第２の本体１２には、第２のスリーブ１２１が接続される。第１のスリーブ１１１の内壁面には、第１のスライド溝１１２が設けられる。パイプ１３は、第１のスリーブ１１１及び第２のスリーブ１２１中に挿設され、その表面に貫通孔１３１が設けられる。枢軸１４は、パイプ１３中に挿設され、その表面に凹溝１４１が設けられる。球１７が第１のスライド溝１１２及び貫通孔１３１中に位置すると、第１の本体１１と第２の本体１２とが枢着される。
【００１４】
クイック着脱自在構造１０を蝶番として使用する際、第１の本体１１は、その上の複数の固定孔１１３に複数の固定部材（図示せず）を取り付けることにより、壁面（図示せず）上に固定され、第２の本体１２は、その上の複数の固定孔１２３に複数の固定部材（図示せず）を取り付けることにより、ドア（図示せず）に固定される。第１の本体１１と第２の本体１２とは、スリーブ１１１，１２１の枢軸１４及びパイプ１３により枢着され、ドアの開閉を行う。
【００１５】
また、全体構造の安定性を高めるために、第１のスリーブ１１１の内壁面には、第１のスライド溝１１２が設けられ、第２のスリーブ１２１の内壁面には、第２のスライド溝１２２が設けられ、パイプ１３の表面には、第１のスライド溝１１２及び第２のスライド溝１２２に対応した貫通孔１３１がそれぞれ設けられる。枢軸１４の表面には、貫通孔１３１に対応した複数の凹溝１４１が設けられる。この構成により、複数の球１７が１組の第１のスライド溝１１２／第２のスライド溝１２２及び１組の貫通孔１３１中にそれぞれ配置されているため、ドア（図示せず）の重量が球１７へ均等に分配され、構造の安定性を高めることができるとともに、第１の本体１１と第２の本体１２とが不用意に分離することを防ぐことができる。
【００１６】
また、パイプ１３及び枢軸１４は、ドア（図示せず）を開閉する際、連動して揺動することができるように、パイプ１３の頂端に設けられた切欠き１３２中に、枢軸１４の頂部に設けられたバンプ１４２を対応させて係合させる。この構成により、パイプ１３と枢軸１４とが連動して揺動することが可能となる。
【００１７】
また、クイック着脱自在構造１０は、締結部材１５及び弾性部材１６を含んでもよい。枢軸１４の底部には、締結孔１４３が設けられる。締結部材１５は、締結孔１４３に螺着され、弾性部材１６は、枢軸１４に外嵌されるとともに、パイプ１３の底部縁部と締結部材１５とに当接される。そのため弾性部材１６の弾性回復力により、バンプ１４２を切欠き１３２中へ確実に係合させることができる。
【００１８】
図１及び図５〜図９を参照する。図１及び図５〜図９に示すように、本実施形態のクイック着脱自在構造１０を分解するには、まず、締結部材１５により枢軸１４を上向きに押し出し、切欠き１３２からバンプ１４２を外し、枢軸１４とパイプ１３とが連動されないようにする。その後、枢軸１４を再び回転させて凹溝１４１、第１のスライド溝１１２及び貫通孔１３１を互いに連通させる（即ち、連通したチャネルが僅かに内面側に向かって下向きに傾く）。このとき球１７が第１のスライド溝１１２から自動的に外れて貫通孔１３１及び凹溝１４１中にスムーズに転がり込む。この構成により、枢軸１４及びパイプ１３が第１のスリーブ１１１及び第２のスリーブ１２１から外れて第１の本体１１と第２の本体１２とを分離させることができる。
【００１９】
上述の構成により、鍵が掛けられて部屋に人が閉じ込められ、鍵を持ってない上に他の人に助けを求めることができない場合でもドア（図示せず）を壁面（図示せず）から取り外すことができる。そのため、道具を全く使用する必要がない上、錠前を壊したり窓から脱出したりしなくとも、閉じ込められた空間から簡単に出ることができる。そのため、非常に便利で実用的である。
【００２０】
クイック着脱自在構造１０を再び取り付けるには、第１のスリーブ１１１へ枢軸１４を挿設し、第２のスリーブ１２１へパイプ１３を挿設して凹溝１４１、第１のスライド溝１１２、貫通孔１３１を互いに対応させて連通した位置に合わせるだけで、枢軸１４が揺動可能となり、凹溝１４１の縁部により球１７を第１のスライド溝１１２及び貫通孔１３１中へ押し戻すと、切欠き１３２中へバンプ１４２を係合させて組み立てを完成させることができる。そのため、組み立てが非常に簡単である。
【００２１】
以上述べた実施形態は、本考案を何ら限定するわけではなく、例えば、第１の本体１１及び第２の本体１２の上下の対応位置関係又は／及び壁面とドアとの接続関係などは、他の態様を採用してもよい。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０  クイック着脱自在構造
１１  第１の本体
１２  第２の本体
１３  パイプ
１４  枢軸
１５  締結部材
１６  弾性部材
１７  球
１１１  第１のスリーブ
１１２  第１のスライド溝
１１３  固定孔
１２１  第２のスリーブ
１２２  第２のスライド溝
１２３  固定孔
１３１  貫通孔
１３２  切欠き
１４１  凹溝
１４２  バンプ
１４３  締結孔
【図１】
0003179326.tif 000003
【図２】
0003179326.tif 000004
【図３】
0003179326.tif 000005
【図４】
0003179326.tif 000006
【図５】
0003179326.tif 000007
【図６】
0003179326.tif 000008
【図７】
0003179326.tif 000009
【図８】
0003179326.tif 000010
【図９】
0003179326.tif 000011